(57)【要約】      （修正有）【課題】相対的に移動する２個の筒において、筒の繰出し量が大きいレンズ鏡筒では、大きく移動する筒を退避させる隙間が必要となるため、係合長さが短くなる【解決手段】レンズ鏡筒は、第１筒と、前記第１筒に対して相対的に光軸方向に直進移動が可能な第２筒と、を備え、前記第２筒は、第１係合部と、前記第１係合部と前記光軸方向において少なくとも一部が異なる位置に配置される第２係合部と、前記第２係合部と前記光軸方向において少なくとも一部が同じ位置に配置される切り欠き部と、を有し、前記第１筒は、前記第１係合部を直進案内する第１被係合部と、前記第２係合部を直進案内する第２被係合部と、を有し、前記第１筒の像面側端部と前記第２筒の像面側端部とが最も近づいた状態で、前記光軸方向において前記切り欠き部と前記第１筒の少なくとも一部とが重なる。【選択図】図２
2020038390.tif 000002
【特許請求の範囲】
【請求項１】
第１筒と、
前記第１筒に対して相対的に光軸方向に直進移動が可能な第２筒と、を備え、
前記第２筒は、第１係合部と、前記第１係合部と前記光軸方向において少なくとも一部が異なる位置に配置される第２係合部と、前記第２係合部と前記光軸方向において少なくとも一部が同じ位置に配置される切り欠き部と、を有し、
前記第１筒は、前記第１係合部を直進案内する第１被係合部と、前記第２係合部を直進案内する第２被係合部と、を有し、
前記第１筒の像面側端部と前記第２筒の像面側端部とが最も近づいた状態で、前記光軸方向において前記切り欠き部と前記第１筒の少なくとも一部とが重なるレンズ鏡筒。
【請求項２】
前記第１筒の少なくとも一部は、前記第１筒の像面側端部と前記第２筒の像面側端部とが最も近づいた状態で、前記切り欠き部に入り込む
請求項１に記載のレンズ鏡筒。
【請求項３】
前記切り欠き部は、前記光軸方向における前記第１係合部の像面側に配置される
請求項１又は請求項２に記載のレンズ鏡筒。
【請求項４】
前記第２係合部は、前記第１係合部と周方向において少なくとも一部が異なる位置に配置される
請求項１から請求項３の何れか１項に記載のレンズ鏡筒。
【請求項５】
前記第２係合部の像面側端部は、前記第１係合部の像面側端部よりも像面側に配置される
請求項１から請求項４の何れか１項に記載のレンズ鏡筒。
【請求項６】
前記第２係合部の被写体側端部は、前記第１係合部の被写体側端部よりも被写体側に配置される
請求項１から請求項５の何れか１項に記載のレンズ鏡筒。
【請求項７】
前記第１筒と前記第２筒との間に配置される第３筒を備え、
前記第３筒の像面側端部は、前記第２筒の像面側端部よりも被写体側に配置される
請求項１から請求項６の何れか１項に記載のレンズ鏡筒。
【請求項８】
前記第１係合部は、周方向において略等間隔に複数設けられる
請求項１から請求項７の何れか１項に記載のレンズ鏡筒。
【請求項９】
請求項１から請求項８の何れか１項に記載のレンズ鏡筒を備える撮像装置。
【発明の詳細な説明】
【技術分野】
【０００１】
本発明は、レンズ鏡筒、及び撮像装置に関する。
【背景技術】
【０００２】
従来、レンズ鏡筒において、相対的に移動する２個の筒の直進移動を案内するための突起と溝が各々の筒に配置した構成がある（特許文献１参照）。
【先行技術文献】
【特許文献】
【０００３】
【特許文献１】特開平８−２６２３０２号公報
【発明の概要】
【発明が解決しようとする課題】
【０００４】
相対的に移動する２個の筒において、上記突起及び溝は、光軸ＯＡに沿う方向で係合する部分の長さ（以下、「係合長さ」ともいう）が長いほど筒相互間のガタが小さくなり、安定した光学性能を維持できる。
しかし、筒の繰出し量が大きいレンズ鏡筒では、大きく移動する筒を退避させる隙間が必要となるため、係合長さが短くなるという課題がある。
【課題を解決するための手段】
【０００５】
本発明の第１の態様によると、レンズ鏡筒は、第１筒と、前記第１筒に対して相対的に光軸方向に直進移動が可能な第２筒と、を備え、前記第２筒は、第１係合部と、前記第１係合部と前記光軸方向において少なくとも一部が異なる位置に配置される第２係合部と、前記第２係合部と前記光軸方向において少なくとも一部が同じ位置に配置される切り欠き部と、を有し、前記第１筒は、前記第１係合部を直進案内する第１被係合部と、前記第２係合部を直進案内する第２被係合部と、を有し、前記第１筒の像面側端部と前記第２筒の像面側端部とが最も近づいた状態で、前記光軸方向において前記切り欠き部と前記第１筒の少なくとも一部とが重なる。
本発明の第２の態様によると、撮像装置は、第１の態様によるレンズ鏡筒を備える。
【図面の簡単な説明】
【０００６】
【図１】実施形態に係るカメラ１の全体図である。
【図２】レンズ鏡筒３の固定筒周りの構成を示す断面図である。
【図３】レンズ鏡筒３の固定筒周りの構成を示す分解斜視図である。
【図４】レンズ鏡筒３の固定筒周りの構成を示す断面図である。
【図５】レンズ鏡筒３の固定筒周りの構成を示す断面図である。
【図６】第１直進筒２０に配置された各突起及び固定筒１０に設けられた各直進溝の配置を示す模式図である。
【発明を実施するための形態】
【０００７】
以下、図面等を参照して、本発明の実施形態について説明する。なお、以下に示す各図には、説明と理解を容易にするために、ＸＹＺ直交座標系を設けた。この座標系では、撮影者が光軸ＯＡを水平として横長の画像を撮影する場合のカメラの位置（以下、正位置という）において撮影者から見て左側に向かう方向をＸプラス方向とする。また、正位置において上側に向かう方向をＹプラス方向とする。更に、正位置において被写体に向かう方向をＺプラス方向又は前側とし、結像面に向かう方向をＺマイナス方向又は後側とする。
また、以下の説明においては、光軸ＯＡと平行な方向への移動を「直進」といい、光軸ＯＡを中心とする回動を「回転」という。
【０００８】
図１は、本実施形態に係るカメラ１の全体図である。
図１に示すように、カメラ１は、カメラ本体２と、カメラ本体２に対して着脱可能なレンズ鏡筒３と、を備える。カメラ本体２は、レンズ鏡筒３により結像された被写体像を撮像するイメージセンサ（不図示）を備える。また、カメラ本体２は、レンズ鏡筒３のバヨネット部と係合可能なマウント部（不図示）を備える。レンズ鏡筒３は、焦点距離を連続的に変化させることができ、また、不使用時には全長をより小さく変化させることができる沈胴式のズームレンズである。レンズ鏡筒３は、円筒状の筐体内に、撮影光学系となる複数のレンズ群と、これを保持する複数のレンズ枠等（不図示）とを備える。レンズ鏡筒３のバヨネット部（不図示）をカメラ本体２のマウント部に嵌め込み、光軸ＯＡを中心として所定方向に回転させることにより、カメラ本体２にレンズ鏡筒３を装着することができる。このように、本実施形態に係るカメラ１は、レンズ交換可能なデジタル一眼レフカメラである。
【０００９】
次に、レンズ鏡筒３の構成について説明する。以下に示す各図では、レンズ群、絞り機構等の図示を省略する。
図２、図４及び図５は、レンズ鏡筒３の主要部である固定筒周りの構成（以下、「レンズ筒体ＬＴ」ともいう）を示す断面図である。図３は、レンズ鏡筒３の主要部である固定筒周りの構成を示す分解斜視図である。
図２及び図４は、固定筒１０に対して各筒の繰り出しを最も長くした時（例えば、望遠端状態）の断面図である。図４は、図２に示すレンズ筒体ＬＴを、Ｚプラス方向において、光軸ＯＡを中心として時計回りに３０度回転させた状態での断面図である。
図４は、固定筒１０に対して各筒の繰り出しを最も短くした時（例えば、沈胴状態）の断面図である。図２〜図４では、各部の重なりを分かり易くするため、部材の断面を示すハッチングを部分的に省略する。
図６は、第１直進筒２０に配置された各突起及び固定筒１０に設けられた各直進溝の配置を示す模式図である。
【００１０】
図２に示すように、レンズ筒体ＬＴは、固定筒１０と、第１直進筒２０と、第１回転筒３０と、第２回転筒４０と、第２直進筒５０と、を備える。各筒の軸線は、製造誤差等を許容する範囲で、光軸ＯＡと略一致する。なお、光軸ＯＡとは、レンズ鏡筒３に含まれる撮影光学系の光軸である。
固定筒（第１筒）１０は、レンズ筒体ＬＴの基盤となる円筒状の部材であり、レンズ鏡筒３がカメラ本体２装着されて使用される際に、マウント部に対する位置及び角度を固定とされる。固定筒１０は、Ｚマイナス方向側の端部にバヨネット部（不図示）が接合される。
固定筒１０は、図２〜図４に示すように、第１直進溝１１と、第２直進溝１２と、カム溝１３と、を備える。
【００１１】
第１直進溝（第１被係合部）１１は、第１直進筒２０の第１突起２１（後述）を直進案内する溝である。第１直進溝１１は、固定筒１０を貫通する貫通溝であり、光軸ＯＡに沿う方向に直線状に形成されている。第１直進溝１１は、図３に示すように、固定筒１０の円周方向に等間隔で３箇所に設けられている。
【００１２】
第２直進溝（第２被係合部）１２は、第１直進筒２０の第２突起２２を直進案内する溝である。第２直進溝１２は、固定筒１０を貫通しない非貫通溝であり、光軸ＯＡに沿う方向に直線状に形成されている。第２直進溝１２は、図６に示すように、固定筒１０の円周方向に等間隔で３箇所に設けられている。それぞれの第２直進溝１２は、固定筒１０の後端側（本実施形態ではＺマイナス方向側）の端部から連続して設けられている。また、それぞれの第２直進溝１２は、図６に示すように、光軸ＯＡを中心として、第１直進溝１１からそれぞれ３０度離れた位置に設けられている。
【００１３】
カム溝１３は、図４に示すように、第１回転筒３０のカムフォロア３１を円周方向かつ直進方向に沿って案内する溝である。図３に示すように、カム溝１３は、固定筒１０の円周方向に等間隔で３箇所に設けられている。それぞれのカム溝１３は、固定筒１０において、光軸ＯＡに沿う方向に同一形状で略曲線状に形成されている。
【００１４】
第１直進筒（第２筒）２０は、図２に示すように、固定筒１０の内周側に配置され、固定筒１０に対して光軸ＯＡに沿う方向に相対的に直進移動が可能な円筒状の部材である。
第１直進筒２０は、図３に示すように、第１突起２１と、第２突起２２と、カムフォロア２３と、を備える。
【００１５】
第１突起（第１係合部）２１は、第１直進筒２０の外周面から外方に突出するように形成されている。また、第１突起２１は、光軸ＯＡに沿って延びる板状の部材であり、固定筒１０の第１直進溝１１と係合する。第１突起２１は、第１直進溝１１を貫通した状態で、第１直進溝１１に沿って移動する。第１突起２１は、図６に示すように、第１直進筒２０の円周方向に等間隔で３箇所に配置されている。第１突起２１は、Ｚ方向から見たときに、断面が凸形状となるように形成されている。第１突起２１の中央部２１ａは、第１直進溝１１を貫通する。この中央部２１ａの両側に形成された２つの肩部２１ｂは、第１直進溝１１を貫通することなしに、固定筒１０の内周側に当接する（図６では、中央部２１ａ、肩部２１ｂの符号を、Ｙ方向の上部に位置する第１突起２１にのみ表記する）。
【００１６】
第２突起（第２係合部）２２は、第１直進筒２０の外周面から外方に突出するように形成されている。また、第２突起２２は、円周方向において第１突起２１とは異なる位置であって、第１突起２１と同じ数だけ形成されている（図６参照）。第２突起２２は、光軸ＯＡに沿って延びる板状の部材であり、固定筒１０の第２直進溝１２と係合する。第２突起２２は、第２直進溝１２の内周面に当接した状態で、第２直進溝１２に沿って移動する。
図６に示すように、固定筒１０の内周側では、第１直進溝１１と第１突起２１の肩部２１ｂとが当接すると共に、第２直進溝１２と第２突起２２とが当接する。そのため、第１突起２１の中央部２１ａが第１直進溝１１に沿って移動する際に、固定筒１０の内周側において、軸線が光軸ＯＡと一致するように第１直進筒２０を安定して保持できる。
【００１７】
それぞれの第２突起２２は、図６に示すように、光軸ＯＡを中心として、第１突起２１からそれぞれ３０度離れた位置に配置されている。即ち、第１突起２１と第２突起２２とは、光軸ＯＡに沿った方向から見て、第１直進筒２０の周方向における異なる位置に配置されている。また、図２及び図４に示すように、第２突起２２の前端（Ｚプラス方向の端部）は、第１突起２１の前端（Ｚプラス方向の端部）よりも第１直進筒２０の後端側（本実施形態ではＺマイナス方向側）に配置されている。また、第２突起２２の後端（Ｚマイナス方向の端部）は、第１突起２１の後端（Ｚマイナス方向の端部）よりも第１直進筒２０の後端側（Ｚマイナス方向側）に配置されている。即ち、第２突起２２の前端は、第１突起２１の前端とは、光軸ＯＡと沿う方向において異なる位置に配置されている。また、第２突起２２の後端は、第１突起２１の後端とは、光軸ＯＡに沿う方向において異なる位置に配置されている。なお、第２突起２２の前端と第１突起２１の後端とは、光軸ＯＡに沿う方向において一致していても異なっていてもよい。
【００１８】
ここで、本実施形態における第１突起２１及び第２突起２２の作用について説明する。
一般に、固定筒１０と第１直進筒２０との間の光軸ＯＡに沿う方向の係合長さは、固定筒１０又は第１直進筒２０の光軸ＯＡに沿う方向の長さにより規制される。そのため、第２突起２２を備えていない場合の実質的な係合長さは、図２に示すように、第１突起２１の長さａとなる。この場合、光軸ＯＡに沿う方向の係合長さが短く、固定筒１０と第１直進筒２０との相互間のガタを小さくできないため、安定した光学性能を維持することが難しい。
【００１９】
一方、本実施形態のレンズ鏡筒３において、第１直進筒２０は、第１突起２１、及び第１突起２１と光軸ＯＡに沿う方向において異なる位置に配置された第２突起２２を備える。そのため、本実施形態のレンズ鏡筒３において、固定筒１０と第１直進筒２０との間の光軸ＯＡに沿う方向における見かけ上の係合長さは、図２に示すように、長さｂ（＞ａ）となる。このように、本実施形態のレンズ鏡筒３では、光軸ＯＡに沿う方向の実質的な係合長さをより長く確保できるため、固定筒１０と第１直進筒２０との相互間のガタを小さくすることが可能となり、安定した光学性能を維持できる。
【００２０】
また、第１直進筒２０は、第１突起２１よりＺマイナス方向側の領域を切り欠いて形成することもできる。そのため、第１直進筒２０のＺマイナス方向側に異なる部材を配置して、レンズ鏡筒３の小型化を達成することも可能である。本実施形態においては、第１直進筒２０は、第１突起２１の後端側に、光軸ＯＡと直交する方向に突出する立ち壁部２４を有している。立ち壁部２４は、遮光部材としての機能を有する。また、第１直進筒２０は、立ち壁部２４よりＺマイナス方向側の領域を切り欠かれている。第１直進筒２０の切り欠かれた領域には、沈胴状態において、固定筒１０の一部が入り込むようになっている。このように、第１突起２１の長さを短くすることにより、第１直進筒２０の一部を切り欠いて他の部材を配置することが可能である。そのため、沈胴状態におけるレンズ鏡筒３の長さをより短くすることができる。
なお、第１直進筒２０は、円筒状の部材の一端から、少なくとも第１突起２１の一端が形成された領域を第１直進溝１１に沿って突出するように形成してもよい。また、第１直進筒２０は、円筒状の部材の他端から、少なくとも第２突起２２の他端が形成された領域を第２直進溝１２に沿って突出するように形成してもよい。
【００２１】
また、図６に示すように、第１突起２１と第２突起２２とは、第１直進筒２０の外周部において、円周方向において異なる位置に配置されている。つまり、第１直進筒２０は、複数種類の突起部材で直進案内することになる。そのため、第１直進筒２０は、係合長さｂの１種類の突起だけで直進案内するよりも、より円滑に直進案内できる。
【００２２】
再び、図面を参照しながらレンズ筒体ＬＴの構成について説明する。
図２において、第１直進筒２０のカムフォロア２３は、第２回転筒４０の第１カム溝４１（後述）と係合する部材である。カムフォロア２３は、第１突起２１の上部からより外方に突出するように、第１突起２１と一体に形成されている。従って、カムフォロア２３は、第１突起２１と同じく、第１直進筒２０の外周部において、円周方向に等間隔で３箇所に配置されている。
【００２３】
第１回転筒（第３筒）３０は、図２に示すように、固定筒１０と第１直進筒２０との間に配置される円筒状の部材である。第１回転筒３０のＺマイナス側端部は、第１直進筒２０のＺマイナス側端部より常にＺプラス方向側に配置されている。第１回転筒３０は、図３に示すように、カムフォロア３１と、突起３２と、カム溝３３（図２参照）と、を備える。
カムフォロア３１は、固定筒１０のカム溝１３と係合する部材である。カムフォロア３１は、第１回転筒３０の外周部において、円周方向に等間隔で３箇所に配置されている。
突起３２は、第２回転筒４０の第２カム溝４２（後述）と係合する部材である。突起３２は、カムフォロア３１の上部からより外方に突出するように、カムフォロア３１と一体に形成されている。従って、突起３２は、カムフォロア３１と同じく、第１回転筒３０の外周部において、円周方向に等間隔で３箇所に配置されている。
【００２４】
カム溝３３は、図２に示すように、第２直進筒５０のカムフォロア５１（後述）を円周方向に沿って案内する溝である。第２回転筒４０の回転に伴って第１回転筒３０が回転しながら直進すると、第１回転筒３０のカム溝３３とカムフォロア５１を介して係合する第２直進筒５０は、直進溝（不図示）に沿って直進する。カム溝３３は、第１回転筒３０の円周方向に等間隔で３箇所に設けられている。それぞれのカム溝３３は、光軸ＯＡに沿う方向に同一形状で形成されている。
【００２５】
第２回転筒（第４筒）４０は、固定筒１０の外周側に配置され、固定筒１０に対して相対的に回転可能であって、光軸ＯＡに沿う方向（Ｚ方向）への移動が規制された円筒状の部材である。第２回転筒４０の外周部にはズームリング（不図示）が設けられている。撮影者がズームリングを回転させる操作を行うと、第２回転筒４０は、ズームリングと共に時計回り又は反時計回りに回転する。第２回転筒４０は、第１カム溝４１と、第２カム溝４２（図４参照）と、を備える。なお、第２回転筒４０は、ズームリングと一体であってもよいし、他の部材を介してズームリングと連結されていてもよい。
【００２６】
第１カム溝４１は、第１直進筒２０のカムフォロア２３を光軸ＯＡに沿う方向に駆動する溝である。第２回転筒４０が回転すると、第２回転筒４０の第１カム溝４１によりカムフォロア２３が光軸ＯＡに沿う方向に駆動される。そのため、第１直進筒２０は、第１突起２１が第１直進溝１１により円周方向への回転が規制された状態で、光軸ＯＡに沿う方向に移動する。第１カム溝４１は、第２回転筒４０の円周方向に等間隔で３箇所に設けられている。それぞれの第１カム溝４１は、光軸ＯＡに沿う方向に同一形状で形成されてい
る。
【００２７】
第２カム溝４２は、第１回転筒３０の突起３２を円周方向に駆動する溝である。第２回転筒４０が回転すると、第２回転筒４０の第２カム溝４２により突起３２が円周方向に駆動される。そのため、第１回転筒３０において、突起３２と一体のカムフォロア３１は、固定筒１０のカム溝１３に沿って案内される。これにより、第１回転筒３０は、円周方向へ回転しながら光軸ＯＡに沿う方向に移動する。第２カム溝４２は、第２回転筒４０の円周方向に等間隔で３箇所に設けられている。それぞれの第２カム溝４２は、光軸ＯＡに沿う方向に同一形状で形成されている。
【００２８】
第２直進筒５０は、第１直進筒２０の外周側であって、第１直進筒２０と第１回転筒３０との間に配置されている。第２直進筒５０は、第１直進筒２０に対して光軸ＯＡに沿う方向に相対的に直進移動が可能な円筒状の部材である。第２直進筒５０は、図２及び図３に示すように、カムフォロア５１を備える。
カムフォロア５１は、第１回転筒３０のカム溝３３と係合する部材である。カムフォロア５１は、第２直進筒５０の外周部において、円周方向に等間隔に３箇所に配置されている。
【００２９】
次に、レンズ筒体ＬＴの動作について説明する。
撮影者がズームリング（不図示）を回転させる操作を行うと、第２回転筒４０は、ズームリングと共に時計回り又は反時計回りに回転する。第２回転筒４０が回転すると、図２に示すように、第２回転筒４０の第１カム溝４１とカムフォロア２３を介して係合する第１直進筒２０は、第１突起２１が第１直進溝１１により円周方向への回転が規制された状態で、光軸ＯＡに沿う方向に移動する。また同時に、第１直進筒２０の第２突起２２は、係合する固定筒１０の第２直進溝１２に直進案内されながら、光軸ＯＡに沿う方向に移動する。
【００３０】
また、第２回転筒４０が回転すると、図４に示すように、第２回転筒４０の第２カム溝４２と突起３２を介して係合する第１回転筒３０は、カムフォロア３１が固定筒１０のカム溝１３に沿って案内される。これにより、第１回転筒３０は、円周方向へ回転しながら、光軸ＯＡに沿って第１直進筒２０と同じ方向に移動する。
また、第１回転筒３０が円周方向に回転すると、図２に示すように、第１回転筒３０のカム溝３３とカムフォロア５１を介して係合する第２直進筒５０は、第１回転筒３０のカム溝３３に沿って円周方向へ回転しながら、光軸ＯＡに沿って移動する。
【００３１】
このように、撮影者の操作するズームリングと共に第２回転筒４０が回転すると、第１直進筒２０、第１回転筒３０及び第２直進筒５０は、それぞれ光軸ＯＡに沿って同じ方向に移動（前進又は後退）する。そのため、第２回転筒４０を所定方向に回転させることにより、図２及び図４に示すように、各筒の繰り出しを最も長くすることができる。また、第２回転筒４０を所定方向と反対回りに回転させることにより、図４に示すように、各筒の繰り出しが最も短い沈胴状態となる。
【００３２】
本実施形態によれば、以下の効果を奏する。
（１）レンズ鏡筒３は、相対的に移動する固定筒１０及び第１直進筒２０の係合長さをより長く確保できるため、固定筒１０と第１直進筒２０との相互間のガタを小さくすることが可能となり、安定した光学性能を維持できる。
（２）レンズ鏡筒３において、第２直進溝１２は、固定筒１０を貫通しない非貫通溝であるため、第１直進筒２０を光軸ＯＡに沿う方向に直進案内が可能な状態に保持できる。また、第２直進溝１２は、固定筒１０の内周側において、軸線が光軸ＯＡと一致するように第１直進筒２０を安定して保持できる。
（３）レンズ鏡筒３において、第１直進筒２０の第２突起２２の前端部は、第１突起２１の前端部よりも前端側に位置する。また、第２突起２２と係合する第２直進溝１２は、固定筒１０の後端側の端部に設けられている。これによれば、レンズ鏡筒３は、第１突起２１の前端部に対して第２突起２２の後端部の位置を可能な限り離すことができるので、固定筒１０と第１直進筒２０との間の光軸ＯＡに沿う方向における見かけ上の係合長さをより長くすることができる。
（４）レンズ鏡筒３は、直接に重なり合わない固定筒１０と第１直進筒２０との間に他の移動する筒を配置しても、光軸ＯＡに沿う方向の係合長さに影響を与えることがない。そのため、レンズ鏡筒３は、ズームレンズ等の複数の筒を備えたレンズ鏡筒とした場合でも、安定した光学性能を維持できる。
（５）レンズ鏡筒３において、第１突起２１と第２突起２２とは、光軸ＯＡと垂直な方向から見て、第１直進筒２０の周方向における異なる位置に配置されている。そのため、レンズ鏡筒３においては、第１突起２１及び第２突起２２のそれぞれの移動範囲をより長く設計できる。
（６）レンズ鏡筒３において、第１直進筒２０の第１突起２１は、第１カム溝４１と係合するカムフォロア２３と一体に形成されている。これによれば、レンズ鏡筒３においては、第１突起２１とカムフォロア２３とを別部品とする必要がないので、部品点数の削減によるコストの低減、及び構造の簡素化を達成できる。
【００３３】
（変形形態）
以上、説明した実施形態に限定されることなく、以下に示すような種々の変形や変更が可能であり、それらも本発明の範囲内である。
（１）本実施形態では、固定筒１０と第１直進筒２０との間に、２個の移動する筒（第１直進筒２０、第１回転筒３０）を配置した例について説明した。これに限らず、固定筒１０と第１直進筒２０との間に配置する他の移動する筒は１つでもよいし、３つ以上であってもよい。
（２）本実施形態では、相対的に移動する２個の筒として、固定筒１０と第１直進筒２０とを例に説明した。これに限らず、相対的に移動する２個の直進筒に対して本発明の構成を適用してもよい。
（３）本実施形態では、図６に示すように、第１突起２１及び第２突起２２を、それぞれ第１直進筒２０の円周方向において、等間隔で３箇所に設けた例について説明した。これに限らず、第１突起２１及び第２突起２２を、それぞれ第１直進筒２０の円周方向において、等間隔で２箇所に設けてもよいし、等間隔で４箇所以上設けてもよい。また、隣接する第１突起２１と第２突起２２との間隔は、図６に示すように、３０度に限らず、適宜に設定することができる。例えば、図６において、Ｚ方向から見たときの第１突起２１と第２突起２２との間隔を、光軸ＯＡを中心として６０度に配置してもよい。この場合、第１直進筒２０の円周方向において、第１突起２１と第２突起２２とは、均等な間隔で配置される。
なお、第１突起２１及び第２突起２２は、第１直進筒２０の外周部において、円周方向に不均等な間隔で配置されていてもよい。また、第１突起２１は、第１直進筒２０の外周部において、円周方向に均等な間隔で配置されていてもよく、不均等な間隔で配置されていてもよい。同様に、第２突起２２は、第１直進筒２０の外周部において、円周方向に均等な間隔で配置されていてもよく、不均等な間隔で配置されていてもよい。また、第１突起２１の数と第２突起２２の数とは必ずしも一致していなくてもよい。また、第１突起２１が第２突起２２よりＺマイナス側に配置されていてもよい。
（４）本実施形態において、第１回転筒３０は、その外周面にカムフォロワ３１と突起３２とそれぞれ有している。また、一体の金属切削品であるカムフォロワ３１と突起３２とが、第１回転筒３０の外周面に固定されている例について説明した。これに限らず、第１回転筒３０とカムフォロワ３１と突起３２とを一体成型してもよい。また、カムフォロワ３１と突起３２とをそれぞれ別体で用意し、第１回転筒３０の外周面に順次固定してもよ
い。さらに、第１回転筒３０とカムフォロワ３１とを一体成型し、カムフォロワに突起３２を固定してもよい。
（５）本実施形態では、レンズ鏡筒３を、焦点距離を連続的に変化させることができ、かつ、不使用時には全長をより小さくすることができる沈胴式ズームレンズとして説明した。これに限らず、レンズ鏡筒３は、焦点距離の固定された単焦点レンズであってもよい。また、レンズ鏡筒３は、沈胴式でないズームレンズであってもよい。
（６）本実施形態では、レンズ鏡筒３を備えるカメラ１を、レンズ交換可能なデジタル一眼レフカメラとして説明した。これに限らず、レンズ交換可能なミラーレス一眼カメラ、レンズ一体式のデジタルカメラ、ビデオカメラ、携帯端末等に適用することもできる。
なお、実施形態及び変形形態は、適宜組み合わせて用いることもできるが、詳細な説明は省略する。また、本発明は、上記実施形態によって限定されることはない。
【符号の説明】
【００３４】
１：カメラ、２：カメラ本体、３：レンズ鏡筒、１０：固定筒、１１：第１直進溝、１２：第２直進溝、２０：第１直進筒、２１：第１突起、２２：第２突起、２３：カムフォロア、３０：第１回転筒、４０：第２回転筒、５０：第２直進筒
【図１】
2020038390.tif 000003
【図２】
2020038390.tif 000004
【図３】
2020038390.tif 000005
【図４】
2020038390.tif 000006
【図５】
2020038390.tif 000007
【図６】
2020038390.tif 000008